(57)【要約】  本発明は、少なくとも１つの第１のセクション２０と、少なくとも１つの第２のセクション３０とを有する、発光デバイス１０であって、第１のセクション２０が第２のセクション３０に隣接しており、各セクション２０、３０が、下面２１、３１と、少なくとも１つの側面２２、３２とを有しており、各セクション２０、３０が、基底層４０と、第１の電極層４１と、第２の電極層４２と、有機発光層（ＯＬＥＤ）４３とを含む、基板の層のスタック１５を含んでおり、有機発光層４３は、第１の電極層４１と第２の電極層４２との間に挟まれており、有機発光層４３は、人工光４５、４５'を発するものであり、展開配置１００においては、第１のセクション２０および第２のセクション３０が長尺状に延伸させられ、人工光４５、４５'が、主として第１のセクション２０および第２のセクション３０の下面２１、３１を介して発せられ、コンパクト配置１１０においては、人工光４５、４５'が主として第１のセクション２０および第２のセクション３０の側面２２、３２を介して発せられるように、第１のセクション２０が、少なくとも部分的に第２のセクション３０に対向して配されることを特徴とする、発光デバイス１０に関するものである。
2010526407.tif 000002
【特許請求の範囲】
【請求項１】
少なくとも１つの第１のセクションと、少なくとも１つの第２のセクションとを有する、発光デバイスであって、
前記第１のセクションが前記第２のセクションに隣接しており、各セクションが、下面と、少なくとも１つの側面とを有しており、
各セクションが、基底層と、第１の電極層と、第２の電極層と、有機発光層とを含む、基板の層のスタックを含んでおり、前記有機発光層は、前記第１の電極層と前記第２の電極層との間に挟まれており、
前記有機発光層は、人工光を発するものであり、
展開配置においては、前記第１のセクションおよび前記第２のセクションが長尺状に延伸させられ、前記人工光が、主として前記第１のセクションおよび前記第２のセクションの前記下面を介して発せられ、
コンパクト配置においては、前記人工光が主として前記第１のセクションおよび前記第２のセクションの前記側面を介して発せられるように、前記第１のセクションが、少なくとも部分的に前記第２のセクションに対向して配されることを特徴とする発光デバイス。
【請求項２】
接続手段が、前記第１のセクションと前記第２のセクションとを接続していることを特徴とする請求項１記載の発光デバイス。
【請求項３】
前記接続手段が、ヒンジ、スタンピング、カッティングまたは箔であることを特徴とする請求項２記載の発光デバイス。
【請求項４】
前記第１のセクションと前記第２のセクションとが１ピース状であり、好ましくは、前記第１のセクションと前記第２のセクションとが可撓性かつ１ピース状の箔であることを特徴とする請求項１記載の発光デバイス。
【請求項５】
前記第１のセクションおよび／または前記第２のセクションの前記下面が、該下面に対してある角度をもって発せられる人工光の量を増大させる表面層により覆われており、好ましくは、該表面層が構造化された表面を有し、さらに好ましくは、該構造化された表面が複数のマイクロプリズムを含むものとされていることを特徴とする請求項１から４いずれか１項記載の発光デバイス。
【請求項６】
前記第１のセクションおよび／または前記第２のセクションが、反射層で覆われた縁部を有することを特徴とする請求項１から５いずれか１項記載の発光デバイス。
【請求項７】
前記第２の電極層が、前記人工光を反射する材料またはコーティングを含んでいることを特徴とする請求項１から６いずれか１項記載の発光デバイス。
【請求項８】
前記第１のセクションおよび／または前記第２のセクションが、少なくとも部分的にフレーム手段で縁取られており、好ましくは、前記第１のセクションおよび前記第２のセクションの前記フレーム手段が接続されていることを特徴とする請求項１から７いずれか１項記載の発光デバイス。
【請求項９】
前記第１のセクションおよび／または前記第２のセクションが握り部分を有しており、該握り部分は、前記コンパクト配置において、当該発光デバイスがトーチを形成するように構成されていることを特徴とする請求項１から８いずれか１項記載の発光デバイス。
【請求項１０】
前記握り部分が、電源および／または制御デバイスおよび／またはスイッチデバイスを含んでいることを特徴とする請求項９記載の発光デバイス。
【発明の詳細な説明】
【技術分野】
【０００１】
本発明は、発光デバイスに関するものである。
【背景技術】
【０００２】
たとえば日曜大工作業の分野といったような、現代生活の種々の領域において、種々のタイプの照明デバイスが必要とされている。一方では、作業台や旋盤を照明するためにしばしば広面積のランプが必要とされ、他方では、小さな限られた面積のための照明デバイスも必要とされる。
【０００３】
広面積照明には、気体放電ランプが使用されることが多い。残念ながら、放電ランプは、高コストかつ極めて非効率的であることが知られている。この欠点を克服するためには、有機発光ダイオード（ＯＬＥＤ）の利用が適している。ＯＬＥＤの利点は、潜在的に低コストかつ高効率の、均質な光源であるという点である。有機発光デバイス（材料および構造）は、たとえば国際公開ＷＯ２００５／０５３０５３Ａ１号で開示されているように、当該技術分野において知られている。この国際公開の開示内容は、参照により、あらゆる目的のため本明細書に含まれているものとする。
【０００４】
米国特許出願公開ＵＳ２００５０２４８９３５Ａ１号には、タイル状のフラットパネル照明システムが開示されている。この照明システムは、複数の外部コネクタを介して機械的かつ電気的に相互接続されている、複数の発光ユニットを含んでいる。これら発光ユニットの種々の配置により、フラットパネル照明システムを、ユーザのニーズに個別に合わせ込むことができる。残念ながら、この米国特許出願公開に開示されているタイル状のフラットパネル照明システムは、広面積照明にしか利用することができない。
【発明の概要】
【発明が解決しようとする課題】
【０００５】
本発明は、上記の欠点を排除するという目的を有する。とりわけ、本発明の１つの目的は、広い面積と、点状の限られた面積とを照明する能力を併せ持つ、発光デバイスを提供することである。
【課題を解決するための手段】
【０００６】
上記の目的は、請求項１に記載されているような本発明の発光デバイスによって達成される。この発光デバイスの有利な実施形態は、従属請求項において規定されている。
【０００７】
本発明の目的は、少なくとも１つの第１のセクションと、少なくとも１つの第２のセクションとを有する、発光デバイスであって、第１のセクションが第２のセクションに隣接しており、各セクションが、下面と、少なくとも１つの側面とを有しており、各セクションが、基底層と、第１の電極層と、第２の電極層と、有機発光層とを含む、基板の層のスタックを含んでおり、有機発光層は、第１の電極層と第２の電極層との間に挟まれており、有機発光層は、人工光を発するものであり、展開配置においては、第１のセクションおよび第２のセクションが長尺状に延伸させられ、人工光が、主として第１のセクションおよび第２のセクションの下面を介して発せられ、コンパクト配置においては、人工光が主として第１のセクションおよび第２のセクションの側面を介して発せられるように、第１のセクションが、少なくとも部分的に第２のセクションに対向して配されることを特徴とする、発光デバイスにより達成される。
【０００８】
本発明の主たる思想は、有機発光層内で発せられた人工光は、広面積照明のために下面を介して発光デバイスから出射することも、小さな面積を照明するために側面のうちの１つを介して発光デバイスから出射することもできるという思想である。この目的を達成するために、発光デバイスが少なくとも２つのセクションに分散させられ、各セクションは、ＯＬＥＤを形成する層のスタックを含むものとされる。
【０００９】
発光デバイスの各セクションは、キャリアとしての役割を果たす基底層を含んでおり、この基底層は、ガラスまたは有機材料から作られたものとされ得る。この基底層上に、通常は透明な酸化インジウムスズ（ＩＴＯ）の薄層が施され、これが第１の電極層を形成する。さらに、有機発光ダイオードは、約５から５００ｎｍの層厚を有する、有機物質の少なくとも１つの薄層からなっている。このＯＬＥＤは、第２の電極層を形成する金属層（たとえばアルミニウム）により均等に覆われており、この金属層は、約１００ｎｍの厚さ、すなわちＩＴＯ層と同等の厚さを呈している。かかる厚さのアルミニウムはミラーとして作用し、それにより、透明なＩＴＯの第１の電極層および透明な基底層のみを介して、発光が生じるようになる。本発明においては、有機発光層との用語は、有機材料の単一層と、有機材料および無機材料を含むいくつかの層から構築された要素とを、包含するものとする。
【００１０】
発光デバイスは、複数のセクションおよび複数の発光表面を有するので、これら各々を呼ぶため種々の用語が用いられる。本発明において、「側面」との用語は、層のスタックの端面状の面であって、コンパクト配置においてその面を介して人工光が発せられる面を指す。層のスタックの残りの端面状の面は、「縁部」と呼ばれる。人工光が、この縁部のうちの１つを介して層のスタックから出射することもあり得るが、これは、人工光が側面を介して発光デバイスから出射している際に、照明目的で使用される光ではない。特許請求の範囲に記載されている本発明の種々の層は、下面および上面を有する層のスタックを形成する。本発明において、「下面」との用語は、その面を介して人工光が層のスタックから出射する、下側の面を指す。この下面に対して、上面は、人工光がこの上面を介して層のスタックから出射しないように、反射層によりコーティングされていてもよい。
【００１１】
本発明の目的を達成するために、本願で開示する発光デバイスは、それぞれ異なるタイプの照明をもたらす、２つの異なる配置を有している。展開配置においては、発光デバイスは、長尺状に延伸させられた広面積照明デバイスを形成する。ここでいう長尺状に延伸させられた構成は、長方形状に限られず、わずかに湾曲させられた構成や、円状に曲げられた構成も含み得る。発光デバイスの複数のセクションは、用途のタイプに応じて、Ｖ字型またはＷ字型に配置することもできる。上記の展開配置に対して、コンパクト配置においては、第１のセクションと第２のセクションとは互いに対向している。この配置の目的は、より小さな照明面積をもたらす、よりコンパクトな発光デバイスを実現することである。
【００１２】
発光デバイスを展開配置からコンパクト配置に移行させることを可能とするために、１つの好ましい実施形態では、発光デバイスは、第１のセクションと第２のセクションとを接続する接続手段を含むものとされる。この接続手段は、第１および第２のセクションの側面または縁部に配されて、それら２つのセクションの可撓性接続または可曲性接続を提供するものであってもよい。この接続手段の助けにより、展開配置からコンパクト配置への移行、およびその逆が可能とされる。以下の説明において、発光デバイスの展開配置からコンパクト配置への移行のみが説明されているとしても、それは限定事項として理解されるべきではない。当然ながら、発光デバイスは常に、展開配置からコンパクト配置に移行する方向、および再びコンパクト配置から展開配置に移行する方向の、両方向に移行可能なものである。
【００１３】
１つの好ましい実施形態では、発光デバイスは、接続手段を介して接続された長方形状のセクションを有するものとされる。コンパクト配置においては、人工光は側面から発せられ、接続手段の軸は、この側面に対して垂直な表面を形成する。第１および第２のセクションの発光側面は、コンパクト配置においても展開配置においても、１つの平面内に配される。展開配置においては、側面は、発光デバイスの傍らに延在する一種の線を形成する。これに対し、コンパクト配置においては、側面はコンパクト領域を形成し、このコンパクト領域を介して人工光が発せられる。
【００１４】
別の好ましい実施形態では、第１および第２のセクションの側面は、互いに対向するものとされる。したがって、展開配置においては、第１のセクションから出射した人工光は、第２のセクションの側面を介して、第２のセクション内に良好に入射し得る。第１および第２のセクションの側面間の距離が小さければ、有機発光層により発せられたすべての光が、発光デバイスの下面または側面を介して、発光デバイスから直接出射する。しかし、側面を介して出射する場合には、人工光は、周囲を照明せずに別のセクション内に流れ込み、その別のセクション内において反射されるので、やはり下面を介して発光デバイスから出射する。したがって、上記の実施形態は、極めて高効率である。発光デバイスが、コンパクト配置に移行させられると、側面同士は互いに沿う形で整列させられ、照明領域を形成する。
【００１５】
１つの好ましい実施形態では、接続手段は、発光デバイスのそれぞれのセクションの外縁部に配された、ヒンジとされてもよい。これらのヒンジは、側面の位置に応じて、互いに対向する第１および第２のセクションの２つの縁部の間に配され得る。別の実施形態では、接続手段は、帯状の接続手段に挿入されるスタンピングとされてもよい。このスタンピングは、発光デバイスの状態を移行させるために、ユーザが、セクション同士を互いに対して曲げることを可能とする。この帯状の接続手段が金属製とされる場合には、小さなブリッジ部のみが残るようにするため、カッティングが適しているかもしれない。このタイプの接続手段の設計は、２つのセクションの接続に関し、強度および剛性を提供する。別の実施形態では、接続手段は、第１および第２のセクションを接続する箔とされてもよい。この箔は、可撓性かつ軽量のポリマー材料の薄層とされてもよい。かかる箔が、セクションの層構造の少なくとも一部を覆う、シーリング箔としても利用されてもよい。
【００１６】
別の好ましい実施形態では、第１および第２のセクションは、タイル状の別個のピースではなく、１ピース状とされる。好ましくは、第１および第２のセクションは、可撓性かつ１ピース状の箔とされる。各セクションを形成するＯＬＥＤの種々の層は、１つの基底層上に組み込まれてもよい。発光デバイス全体が共に撓ませられて円柱状の部材を形成できるように、この基底層は、ポリマー製とされてもよい。セクション自体を撓ませることができるので、接続手段は必要ない。第１および第２のセクションは、箔の任意に選択された部分とされる。発光側面は、発光デバイスの側面のうちの１つとされ得る。撓ませられた後の発光デバイスは、発光側面が１つの面上に配された、カタツムリの殻状の形状を有する。本発明において、「撓ませる」および「曲げる」との用語は、平面状態から逸脱している態様における、複数のセクション間の相対的な配向を記述するために使用される。「撓ませる」との表現は、材料が螺旋状に巻かれる際、またはその下に付随する非平面上の基板に追従することが必要とされる際に生じる、縦方向、横方向または対角線方向における、発光デバイスの曲線状の配向として規定される。本明細書でいう「曲げる」との表現は、予め決められた折り線に沿ってシートが折曲げられ、材料の折曲げを許容する際の動作を規定している。
【００１７】
ＯＬＥＤ内の有機発光層はランバート特性を有しており、このことは、人工光があらゆる方向に均等に広がることを意味する。通常、広い面積を照明するためには、人工光は、主として基底層および下面を介して層のスタックから出射するべきであるので、それらの層を通るように光を集光および／または反射させるための施策が取られる。上記の発光デバイスの目的のため、発せられた人工光は、側面に向かうようなバイアスを有することが好ましい。そのため、別の好ましい実施形態では、第１のセクションおよび／または第２のセクションの下面が、その下面に対してある角度をもって発せられる人工光の量を増大させる表面層により覆われる。人工光が曲げられる角度は、側面の配置に依存する。いずれの配置においても、下面から出射する人工光は、側面の方向に方向変換される。しかしながら、コンパクト配置においては、方向変換が弱いために、人工光は、第１のセクションから第２のセクションへと下面を介して入射し、電極層のうちの１つにおいて反射され、そのセクションの下面から再び出射するかもしれない。このジグザグの光路は、最初に下面を介して発せられた人工光が、最終的には側面に到達し、この側面から発せられる光の量を増大させることを可能とする。人工光の方向変換を実現するため、好ましくは、表面層は構造化された表面を有し得る。この構造化された表面は、たとえば、周辺大気との屈折率差およびその外形によって人工光を方向変換する、複数のマイクロプリズムを含むものとされてもよい。
【００１８】
別の好ましい実施形態では、第１のセクションおよび／または第２のセクションは、反射層で覆われた縁部を有するものとされる。前述したように、人工光が発せられる側面以外の、セクションのすべての側面を、縁部と呼ぶこととする。下面および／または側面を介してセクションから出射する光の量を増大させるために、縁部は、反射層で覆われ得る。この縁部に当たった人工光は、層のスタック内へと戻るように反射され、高い確率で上記の表面のうちの１つから層のスタックを出射するようになる。
【００１９】
別の好ましい実施形態では、第２の電極層は、人工光を反射する材料またはコーティングを含むものとされてもよい。かかる第２の電極層は、有機発光層により発せられる人工光に対して不透明な、アルミニウム製とされることが多い。下面または側面を介して発光デバイスから出射する光の量を増大させるために、第２の電極層は反射性材料でコーティングされ得る。かかる材料は、大量の人工光を反射する、銀を含む材料とされてもよい。このコーティングはまた、人工光を単に反射するだけでなく、側面に向かう小さなバイアスを有する人工光の量が増大させられるような、人工光の方向変換も生じさせる構造を有するものとされてもよい。
【００２０】
別の好ましい実施形態では、第１のセクションおよび／または第２のセクションが、少なくとも部分的にフレーム手段で縁取られたものとされる。このフレーム手段は、層のスタックを支持する、台座部分として作用する。好ましくは、第１のセクションおよび第２のセクションのフレーム手段は、接続されたものとされる。こうして、フレーム手段は、ユーザが、発光デバイスの配置を展開配置からコンパクト配置に、およびその逆に変更することを可能とする。フレーム手段はまた、壊れやすい層のスタックを衝撃から保護するものであり、内側の反射性コーティングも有していてもよい。縁部のうちの１つを介してセクションから出射する人工光は、フレーム手段の反射性コーティングにより、層のスタック内に戻るように反射され得る。別の好ましい実施形態では、フレーム手段は、電源またはスイッチデバイスも有するものとされ得る。かかるデバイス、回路および機構には、様々なオン／オフスイッチ、および外部環境からの入力を受け取って解釈し、付随するスイッチを制御するようなデバイスが含まれるが、これらに限定されるものではない。上記のもののようなデバイスは、制御信号への翻訳および変換が可能な少なくとも１つの入力条件を検出することのできるデバイスであると想定され、その制御信号は、付随する適切なスイッチ内の組込電源に対して作用できる信号とされる。
【００２１】
別の好ましい実施形態では、第１のセクションおよび／または第２のセクションは、握り部分を有するものとされ、その握り部分は、コンパクト配置において、発光デバイスがトーチを形成するように構成される。前述のとおり、本発明の１つの目的は、一方では広い面積を、他方では小さな限られた面積を照明することのできる、発光デバイスを開示することである。そのため、発光デバイスは、トーチとして使用されてもよい。ユーザが、発光デバイスをトーチ様に使用することを可能とするために、握り部分は、セクションの外縁部上に配され得る。たとえば、この握り部分は、層のスタックと接続された金属製パネルとされてもよい。コンパクト配置においては、ユーザが発光デバイスの２つの金属プレート部分を握ることができるように、この握り部分が、最も外側の層となってもよい。
【００２２】
さらに、上記の握り部分が、電源および／または制御デバイスおよび／またはスイッチデバイスを含むものとされてもよい。前述のように、これらのデバイスおよび電源は、発光デバイスを駆動および制御するために用いられる。さらに、制御デバイスは、発光デバイスの異なる複数のセクションを駆動および／または制御して、個々のセクションそれぞれから発せられる人工光を調整し、下面を介して大量の人工光が発せられるように、または側面を介して大量の人工光が発せられるようになすものとされてもよい。別の実施形態では、２つのセクション間の電気的な相互接続として、接続手段が利用されてもよい。
【００２３】
上記の発光デバイス、特許請求の範囲に記載された要素、および本明細書で説明する実施形態において本発明に従って使用される要素は、サイズ、形状および材料選択に関し、何ら特殊な例外を有するものではない。関連分野において知られている技術概念は、限定なく適用することができる。本発明の対象のさらなる詳細、特徴および利点は、従属請求項、およびそれぞれの図の以下の説明において開示されている。これらの図は、本発明に係る発光デバイスの好ましい実施形態を示した、単なる例示的な図である。
【図面の簡単な説明】
【００２４】
【図１】第１および第２のセクションを有する発光デバイスを示した図
【図２】完全展開配置にある発光デバイスを示した図
【図３】一部展開配置にある発光デバイスを示した図
【図４】コンパクト配置にある発光デバイスを示した図
【図５】発光デバイス内における複数の光線を示した図
【図６】１ピース状の発光デバイスを示した図
【図７】コンパクト配置にある、発光デバイスの別の実施形態を示した図
【図８】展開配置にある、図７の発光デバイスを示した図
【発明を実施するための形態】
【００２５】
図１には、発光デバイス１０の断面図が示されている。この発光デバイス１０は、第１のセクション２０と、第２のセクション３０とを含んでいる。各セクション２０、３０の基礎部分は、ガラスまたはポリマー基板である基底層４０により構築されている。基底層４０上に積層されているのは、第１の電極層４１である。この第１の電極層４１の上には、有機発光層４３および第２の電極層４２が、互いに重畳されている。上記の３つの層４１、４２、４３はそれぞれ、５００ｎｍ未満、好ましくは１５ｎｍと２００ｎｍとの間の厚さを有する。一方の電極層から他方の電極層に流れる電流を印加すると、有機発光層４３は、有機材料中の電子とホールとの再結合による人工光４５を発する。第２の電極層４２がアルミニウム製である場合には、この第２の電極層４２が一種のミラーとして作用し、発せられた人工光４５を、透明な第１の電極層４１および基底層４０を通過するように反射する。
【００２６】
本発明の目的を達成するため、第１のセクション２０および第２のセクション３０は、それぞれ下面２１、３１と、少なくとも１つの側面２２、３２とを有している。有機発光層４３内で発生させられた人工光４５は、下面２１、３１を介して、セクション２０、３０から出射することができる。以下に示され説明されるように、この人工光は、広面積の照明に利用される。さらに、人工光の別の一部４５'は、側面２２、３２を介して、セクション２０、３０から出射することができる。この人工光４５'は、発光デバイス１０のコンパクト配置１１０において、小さな面積を照明するのに利用される。
【００２７】
人工光４５は、下面２１、３１を介して第１のセクション２０および第２のセクション３０から出射する一方、人工光４５'は、側面２２、３２を介してセクション２０、３０から出射する。セクション２０、３０のその他の端面状部分は、縁部２３、３３と呼ぶ。有機発光層４３により発せられた人工光４５、４５'が、層のスタック１５内に戻るように反射および方向変換され、より高い効率を実現するように、各セクション２０、３０の縁部２３、３３は、反射性コーティングによりコーティングされていてもよい。同じことが、層のスタック１５を覆っている上面層４４についてもいえる。この上面層４４は、層のスタック１５を周辺環境の影響から保護する、シーリング層としても機能し得る。
【００２８】
本発明の目的を達成するため、発光デバイス１０は、広面積照明デバイスとしても、小さな点状光源としても、使用することができる。図２には、展開配置１００にある発光デバイス１０が示されている。本発明の理解を容易にするために、セクション２０、３０内に組み込まれている種々の層４０、４１、４２、４３は図示されていない。しかしながら、各セクション２０、３０は、図１に示したそれらセクションと同一の構成を有している。展開配置１００では、長尺の延伸シート様の発光デバイス１０を形成するように、第１のセクション２０および第２のセクション３０が配置される。人工光４５は、主として、各セクション２０、３０の下面２１、３１を介して発せられる。この配置１００では、机、作業台または機械のような広い面積を照明するのに、発光デバイス１０を使用することができる。有機発光層４３はランバート特性を有しているので、人工光４５、４５'は、あらゆる方向に発せられる。下面２１、３１を介して発せられる人工光４５の量を増大させるために、各セクション２０、３０は、反射性の縁部２３、３３と、反射性の上面層４４とを有していてもよい。図１で示したように、各セクションは、人工光４５'が発せられる側面２２、３２を含んでいる。図示の展開配置１００では、これらの側面２２、３２は、互いに対向している。したがって、たとえば第１のセクション２０から発せられた人工光４５'は、側面２２および側面３２を通過して、第２のセクション３０内へと流入することができる。人工光４５は、その第２のセクション３０内において反射または方向変換され、下面３１を介して第２のセクション３０から出射する。
【００２９】
発光デバイスが展開配置１００からコンパクト配置１１０に移行されることを可能とするため、セクション２０、３０は、接続手段５０を介して接続されている。図３に示されているように、この接続手段は、各セクション２０、３０の外側端部に配されたヒンジであってもよい。図３に示した一部コンパクト配置においては、複数のセクションがジグザグ形式に配置されており、人工光４５、４５'が、側面２２、３２のみならず下面２１、３１を介して、発光デバイス１０から出射することを可能としている。
【００３０】
コンパクト配置１１０は、図４に示されている。セクション２０、３０は、互いに平行に整列させられている。下面２１を介してセクション２０から出射する人工光４５は、第２のセクション３０の下面３１を照射する。同じことが、第２のセクション３０により発せられる人工光４５についてもいえる。本発明の目的を達成するため、セクション２０、３０の側面２２、３２から出射する人工光４５'は、特定目的の小さな面積のみを照明する、点状光源を形成する。図示されている実施形態では、フレーム手段６５が、各セクション２０、３０を縁取っており、層のスタック１５のマウント部材として作用する。セクション２０、３０のマウント手段６５同士は、接続手段５０により相互接続されている。図示されている発光デバイス１０の最も外側の２つの表面は、握り部分６０を含んでいる。この握り部分は、コンパクト配置１１０において、発光デバイス１０がトーチを形成するように構成されている。そのため、本発明により開示される発光デバイス１０は、容易に手で取り扱うことができる。
【００３１】
図５には、コンパクト配置１１０に配置された、発光デバイス１０の別の実施形態が示されている。セクション２０、３０のうちの２つは、表面層７０を含んでいる。この表面層７０は、セクション２０、３０の下面２１、３１上に重畳されている。この表面層７０の目的は、有機発光層４３により発せられた人工光４５を、方向変換することである。人工光４５を、側面２２、３２に向けて方向変換することにより、それらの側面２２、３２から出射する人工光４５'の量を増大させることができる。人工光４５の方向変換を実現するため、表面層７０は、構造化された表面を有していてもよい。この構造化された表面は、好ましくは、複数のマイクロプリズムを含むものとされる。たとえばセクション３０内において人工光４５が発生させられた場合には、その人工光４５は、下面３１に流れ込み、構造化された表面により方向変換され、下面３１に対して角度７２をもって発せられる。そのように方向変換された光４５は、図示の実施形態では、続いて第１のセクション２０に入射し、層のスタック１５をなす層のうちの１つにおいて、良好に反射され得る。人工光４５が、発光デバイス１０に対して多かれ少なかれ垂直な態様で、側面３２から最終的に出射するように、第１のセクション２０の表面層７０において、さらなる別の方向変換が生じてもよい。
【００３２】
側面２２、３２のうちの１つを介して発せられる人工光４５の量を増大させるため、第２の電極層４０は、図５の左側２つのセクションに示されているように人工光４５を反射させる、コーティング７１を含むものとされてもよい。これにより、第１のセクション２０および／または第２のセクション３０からの出射が、側面２２、３２のうちの１つを介して生じる確立が高くなる。
【００３３】
図６には、発光デバイス１０の別の実施形態の断面図が示されている。上記で示した実施形態では、第１のセクション２０および第２のセクション３０は、接続手段５０を介して接続される、別個のピースであった。これに対し、図６に示した発光デバイス１０は、１ピースとされている。そのため、第１のセクションと第２のセクションとの間の区別は確定されていない。各セクション２０、３０および接続手段５０が、ＯＬＥＤ構造が重畳された１ピースの可撓性の箔４０上に構築されているので、接続手段５０およびセクション２０、３０の間には、実際の区別は存在しない。上記の不確定なセクションおよび接続手段のすべてが、人工光４５、４５'を発する。図示の実施形態では、人工光４５が発光デバイス１０から出射する側面２２、３２は、図の紙面上に配されている。したがって、人工光４５'は、下面２１、３１を介して発せられる人工光４５に対して、垂直な方向で発光デバイス１０から出射する。図示の発光デバイス１０は、コンパクト配置１１０において円柱状の形状を有する。この発光デバイスを巻かれていない状態に延ばすことにより、展開配置１００が実現される。
【００３４】
図７および８には、発光デバイス１０の別の実施形態が示されている。図７に示されたコンパクト配置１１０では、セクション２０、３０が、互いに平行に整列させられている。人工光４５、４５'は、側面２２、３２のみならず、下面２１、３１を介しても、発光デバイス１０から出射し得る。図８に示した展開配置１００では、セクション２０、３０は、接続手段５０に起因する相互距離をもって配されている。
【符号の説明】
【００３５】
１０    発光デバイス
１５    層のスタック
２０    第１のセクション
２１    第１のセクションの下面
２２    第１のセクションの側面
２３    縁部
３０    第２のセクション
３１    第２のセクションの下面
３２    第２のセクションの側面
３３    縁部
４０    基底層
４１    第１の電極層
４２    第２の電極層
４３    有機発光層
４４    上面層
４５、４５'    人工光
５０    接続手段
６０    握り部分
６５    フレーム手段
７０    表面層
７１    第２の電極層４２の反射性コーティング
７２    角度
１００  展開配置
１１０  コンパクト配置
【図１】
2010526407.tif 000003
【図２】
2010526407.tif 000004
【図３】
2010526407.tif 000005
【図４】
2010526407.tif 000006
【図５】
2010526407.tif 000007
【図６】
2010526407.tif 000008
【図７】
2010526407.tif 000009
【図８】
2010526407.tif 000010
【国際調査報告】
2010526407.tif 000011
2010526407.tif 000012
2010526407.tif 000013